(57)【要約】【課題】長尺の帯状物を横型の処理室で水平に反復移送して洗浄、乾燥、防水などの処理を行い、配置保全また保守作業が手作業で簡易に行える処理装置を提供する。【解決手段】処理装置は、上段に処理室、中段に補給室、下段に回収室を配し、処理室には帯状物の搬入口側と搬出口側に帯状物を水平に巻掛ける巻掛けローラーを配し、巻掛けローラーは所定ピッチで突出部を設け、走行する帯状物を互いに隔離させ、順次移送して処理し、搬出口に設けた圧搾部で排出された処理液を再度処理室へ戻し、また処理室と補給室とを還流パイプで連通して処理液を循環させ、また新しい処理液を補給して濃度を均一化させて処理ムラをなくし、さらに最下部に漏れた処理液を回収できる縦型の処理装置である。【選択図】  図１
2004197285.tif 000002
【特許請求の範囲】
【請求項１】
帯状物を連続走行して処理室内で多様な処理を行う処理装置において、処理室１に帯状物Ａの搬入口１０および搬出口１１を設け、処理室１内の略同一水平面上に帯状物Ａの走行方向を反転させる一対の巻掛けローラー１２を間隔をおいて配設し、帯状物Ａを巻掛けローラー１２間に反復走行させてなることを特徴とする帯状物の処理装置。
【請求項２】
巻掛けローラー１２の表面に、巻掛けローラー１２の軸線方向に所定のピッチで帯状物Ａ同士を隔離する複数の突出部１８を有してなる請求項１記載の帯状物の処理装置。
【請求項３】
巻掛けローラー１２の表面に所定ピッチでフランジ１５を突設し、隣接する帯状物Ａを隔離する突出部１８を形成してなる請求項２記載の帯状物の処理装置。
【請求項４】
巻掛けローラー１２の表面に所定ピッチのスパイラル突片を突設し、隣接する帯状物Ａを隔離する突出部１８を形成してなる請求項２記載の帯状物の処理装置。
【請求項５】
巻掛けローラー１２間に、帯状物Ａの走行方向をガイドするガイド部材３８を配設してなる請求項１または２記載の帯状物の処理装置。
【請求項６】
処理室１に連設した圧搾機構は、駆動ローラー２１に押圧ローラー２２を圧接状に配設して圧搾部２８を形成し、圧搾部２８の下側に液戻し部材２３を処理室１に連通してなる請求項１記載の帯状物の処理装置。
【請求項７】
処理室１内に配設した一対の巻掛けローラー１２の一方を駆動機構に連結してなる請求項１記載の帯状物の処理装置。
【請求項８】
処理室１の下方に補給室２を設け、処理室１と補給室２とは処理液を還流させる還流パイプ１９を配設し、補給室２の下側に、上方からの処理液の液漏れを回収する回収室３を配設してなる請求項１記載の帯状物の処理装置。
【請求項９】
補給室２は処理液の補給口２６を有してなる請求項８記載の帯状物の処理装置。
【請求項１０】
上段棚６の処理室１、中段棚７の補給室２、下段棚８の回収室３を一連のフレーム５に固定し、フレーム５の下側にキャスター３１を装着してなる請求項８記載の帯状物の処理装置。
【発明の詳細な説明】
【０００１】
【発明の属する技術分野】
この発明は、長尺の帯状物の洗浄、乾燥、染色、防水などの各種の処理に適用できる処理装置に関し、帯状物を処理室内において水平方向へ反復連続走行させ、その間において各種の処理を効率よく処理できる小ロット生産に適する帯状物の処理装置に関するものである。
【０００２】
【従来の技術】
長尺の帯状物に対し洗浄、乾燥、染色、防水などの加工処理を処理室において、帯状物の反復走行中に行う場合、縦に深い処理室の上段、下段に一対の巻掛けローラーを架設し、このローラー間に帯状物を上下に反復的に引っ掛けて連続走行させて、各種の加工処理を行うことが知られている。
【０００３】
例えば図７に示すように、連続走行する帯状物を処理室内において処理するに際し、処理室内の上下いずれかの同一水平面内に平行に配され帯状物の走行方向に延設された２本１組の自由回転する巻掛けローラーと、処理室内の巻掛けローラーに相対する上下いずれかに巻掛けローラーと直交して配され、帯状物の移送方向に沿って水平に並設された複数本の駆動ローラーとを備え、導入口から導入された帯状物は隣り合う駆動ローラーと２本１組の巻掛けローラーとを交互に順次跨らせながら走行させ、その垂直方向の走行途中でそれぞれ９０度捩られ、各ローラーに対する帯状物の接触面が片面とされる処理装置が知られている。（特許文献参照）
【０００４】
【特許文献】
特開平９−２１７２６４号公報（段落番号００１９〜００３１）
【０００５】
【発明が解決しようとする課題】
前項で述べた特許文献に開示された、帯状物の処理装置としての乾燥装置または蒸熱洗浄装置は、共に処理室内の下部において水平面内で平行な２本１組の巻掛けローラーを配し、上部においてはこの巻掛けローラーと直交する方向で帯状物を移送方向に沿って第１駆動ローラー、第２駆動ローラーと複数本の駆動ローラーを並設した帯状物の走行機構が示されている。この走行機構は縦長の大型の処理室に配設してはじめて各処理機能が発揮できるものである。従って帯状物の走行機構すなわち移送機構は複雑であり、処理装置自体が大型で処理室が深く帯状物の配置保全作業、また保守作業がきわめて面倒であるなど問題点がある。
【０００６】
この発明は、上述の問題点を考慮して発明されたものであり、請求項１記載の発明は、処理室１が従来のような縦型でなく横型で処理室１が浅く、長尺の帯状物Ａを水平方向すなわち横方向に反復移送させることにより、帯状物Ａの配置保全作業また保守作業が手作業で簡易に行うことができ、帯状物Ａの小ロット生産が可能で効率のよい処理ができる帯状物の処理装置を提供することが主たる目的である。
【０００７】
請求項２、３および４記載の発明は、それぞれ請求項１記載の発明の目的に加え、それぞれ帯状物Ａを処理する処理室１は浅く小型でも帯状物Ａを的確かつ効率よく移送でき、帯状物Ａの隔離配置が確実に行うことができる走行機構を備えた帯状物の処理装置を提供することが目的である。
【０００８】
請求項５記載の発明は、請求項１記載の発明の目的に加え、処理装置における帯状物のガイド部材は、帯状物の走行中における走行方向を安定して維持できる帯状物の処理装置を提供することを目的とする。
【０００９】
請求項６記載の発明は、請求項１記載の発明の目的に加え、処理装置における帯状物の圧搾機構は、処理室の外側に配し、処理室で使用した処理液を帯状物から簡易に排除して処理液を処理室へ戻す機構を備えた帯状物の処理装置を提供することが目的である。
【００１０】
請求項７記載の発明は、請求項１記載の発明の目的に加え、処理装置における走行機構の巻掛けローラーを駆動する駆動機構は、処理室に外側に配し、一対の巻掛けローラーの一方の巻掛けローラーに直結して巻掛けローラーを的確に駆動できる帯状物の処理装置を提供することが目的である。
【００１１】
請求項８記載の発明は、請求項１記載の発明の目的に加え、処理装置における処理室１に貯溜する処理液は、処理室１の下方に配した補給室２との間で効率よく循環させ、かつ補給室２の下方に回収室３を配設して処理液の液漏れ回収ができる帯状物の処理装置を提供することが目的である。
【００１２】
請求項９記載の発明は、請求項８記載の発明の目的に加え、処理装置における補給室２は処理液を補給することができる帯状物の処理装置を提供することが目的である。
【００１３】
請求項１０記載の発明は、請求項８記載の発明の目的に加え、処理装置における処理室１、補給室２、回収室３を上下三段形式に形成し、この処理装置は簡単に移動可能な機構を備えた帯状物の処理装置を提供することが目的である。
【００１４】
【課題を解決するための手段】
前記の目的を達成するため、この発明のうち、請求項１記載の発明は、長尺の帯状物Ａを連続的に走行または移送して、処理室１内で多種多様な処理を行う処理装置において、処理室１に長尺の帯状物Ａを搬入する搬入口１０および搬出する搬出口１１を設け、処理室１内において略同一水平面上に帯状物Ａを反転移送させる一対の巻掛けローラー１２を間隔をおいて配設し、帯状物Ａを巻掛けローラー１２の間に反復走行させた帯状物Ａの処理装置を主な構成とするものである。
【００１５】
請求項２記載の発明は、請求項１記載の発明の構成に加え、処理室１内に配設した巻掛けローラー１２の表面には、巻掛けローラー１２の軸線方向に所定のピッチで帯状物Ａ同士を隔離する複数の突出部１８を有し、巻掛けローラー１２の表面に長尺の帯状物Ａ同士が重なり合うのを防ぎ、帯状物Ａを隔離するように形成した帯状物の処理装置である。
【００１６】
請求項３記載の発明は、請求項１記載の発明の構成に加え、処理室１内に配設した巻掛けローラー１２の表面に形成する突出部１８は、所定ピッチで突出するフランジ１５を設け、巻掛けローラー１２に移送する長尺の帯状物Ａの重なり合いを防ぎ、帯状物Ａを隔離するように形成した帯状物の処理装置である。
【００１７】
請求項４記載の発明は、請求項１記載の発明の構成に加え、処理室１内に配設した巻掛けローラー１２の表面に形成する突出部１８は、所定ピッチで突出するスパイラル状の突片を設け、巻掛けローラー１２に移送する長尺の帯状物Ａの重なり合いを防ぎ、帯状物Ａを隔離するように形成した帯状物の処理装置である。
【００１８】
請求項５記載の発明は、請求項１記載の発明の構成に加え、処理室１内に配設した巻掛けローラー１２間に、帯状物Ａの巻掛けローラー１２へ向けての走行方向が変位することを防ぐため、帯状物Ａの走行方向を一定にガイドするガイド部材３８を配設した帯状物の処理装置である。
【００１９】
請求項６記載の発明は、請求項１記載の発明の構成に加え、処理室１に連設した圧搾機構は、処理室１の搬出側の外部に帯状物Ａを引っ張るための駆動ローラー２１とこれを押圧する押圧ローラー２２との圧接により繰り出す帯状物Ａを圧搾した結果、排出された処理液を再度処理室１に戻す機構とを連設した帯状物の処理装置である。
【００２０】
請求項７記載の発明は、請求項１記載の発明の構成に加え、処理室１内に配設した一対の巻掛けローラー１２を駆動する駆動機構は、処理室１内の搬出側の巻掛けローラー１２を駆動機構に連結して巻掛けローラー１２を駆動する帯状物の処理装置。
【００２１】
請求項８記載の発明は、請求項１記載の発明の構成に加え、処理室１の下方に補給室２を設け、処理室１と補給室２とは処理液を循環させるための還流パイプ１９を両室１，２間に設け、また補給室２の下方に処理室１または補給室２からの液漏れが生じたとき、漏れた処理液を回収できる回収室３を配設した帯状物の処理装置である。
【００２２】
請求項９記載の発明は、請求項８記載の発明の構成に加え、補給室２は処理液を補給することができる補給口２６を設けた帯状物の処理装置である。
【００２３】
請求項１０記載の発明は、請求項８記載の発明の構成に加え、上段棚６に配した処理室１、中段棚７に配した補給室２、下段棚８に配した回収室３とを、一連に形成したフレーム５にそれぞれ固定し、このフレーム５の下側にキャスター３１を取り付け自由に移動できるように形成した帯状物の処理装置である。
【００２４】
【発明の実施の形態】
以下、この発明の帯状物の処理装置の実施の形態について、図面を参照しながら具体的に説明する。
【００２５】
この発明における長尺の帯状物、例えばスライドファスナー用チエン、面ファスナー、テープ付きスナップファスナー、装飾用テープなどを洗浄、乾燥、染色、漂白、防水などの加工処理を行う処理装置である。ここでは帯状物に防水加工を施す処理装置について説明する。
【００２６】
処理装置は図１に示すように、三段の棚を備えたフレーム５の上段棚６に処理室１を載置して固定し、中段棚７に補給室２を載置して固定し、下段棚８に回収室３を載置して固定する。処理室１には処理液として防水剤例えばフッ素系撥水・撥油剤を用いた処理液を収容し、この処理液中に長尺の帯状物Ａを浸漬して防水加工を行うものである。三段の棚を備えたフレーム５は下面にキャスター３１を取り付けて移動ができるように形成する。
【００２７】
処理室１は、上面が開口したケース９から形成し、ケース９は横方向に広くて浅い形態に形成し、ケース９内の前後に間隔をおいて、帯状物Ａを反復走行させる。すなわち反転させて移送することができる。帯状物Ａは処理室１内の前後に略水平状に反復走行させるため、反転用に用いる帯状物Ａを巻き掛けることができる巻掛けローラー１２をケース９の内部に設けた軸受１４に対し、巻掛けローラー１２の回転軸１３を軸支し、一対の巻掛けローラー１２の一方の巻掛けローラー１２、特に帯状物Ａの搬出側に位置する巻掛けローラー１２の回転軸１３は、処理室１の外側に設置したモーター３０に連結し、帯状物Ａの移送を図る。なお一対の巻掛けローラー１２は同一水平面上に配設するが、必ずしも同一水平面上でなくとも、多少傾く形に形成しても差し支えない。
【００２８】
巻掛けローラー１２の表面には、突出するフランジ１５を巻掛けローラー１２の回転軸の軸線方向に所定間隔すなわち帯状物Ａの幅に相当する間隔で配設して突出部１８を形成し、帯状物Ａ同士が重なり合うことがないよう確実に隔離し、帯状物Ａが非接触状態で連続走行または移送できるように形成する。
【００２９】
巻掛けローラー１２間で、各巻掛けローラー１２の近傍に処理室１の底部に固定された板状の基部３９と、基部上面から長手方向に所定のピッチで複数突出するピン部４０とを有するガイド部材３８を配設する。ピン部４０は、巻掛けローラー１２間を走行する帯状物Ａが巻掛けローラー１２の所定の位置に巻き掛けられるように走行方向を一定に維持する。好適には、ピン部４０の先端が走行する帯状物の上方に位置するようにする。例えば、ピン部４０を基部３９に対して斜設してその先端が帯状物Ａの上方側に位置させたり、ピン部４０の先端を屈曲して略倒Ｌ字状に形成するのがよい。これにより、帯状物Ａが走行時に捻れそうになっても、ピン部４０の先端が帯状物Ａの捻れを元の状態に戻し、帯状物Ａを正常な姿勢で走行させることができる。
【００３０】
処理室１は、ケース９の側壁における巻掛けローラー１２のやや上辺に位置する部分に、処理液を供給することができる供給口１６を設けてパイプ２０を連通する。また処理室１の底部には処理液を排出することができる排出口１７を設けてパイプ２０を連通する。さらに処理室１における巻掛けローラー１２のやや上辺に、上端が開口する開口部２４を備えた還流パイプ１９を下方の補給室２との間に連通させることによって、処理中は処理室１と補給室２とにおける処理液を循環させる。
【００３１】
処理室１における帯状物Ａの搬出側に、帯状物Ａを圧搾できる圧搾部２８を設けて、帯状物Ａに含浸している処理液を除去する。この圧搾部２８は下側に処理室１内の搬出側の巻掛けローラー１２の回転に同調して駆動できる駆動ローラー２１を設け、この駆動ローラー２１の上側へ駆動ローラー２１を押圧する押圧ローラー２２を配設して、その間に帯状物Ａを挟持挿通させ、帯状物Ａに含浸している処理液を除去する。ここで除去された処理液は圧搾部２８の下側に配設した液戻し部２３によって、処理室１へ再度返戻される。液戻し部２３はガター状で処理室１へ向けて傾斜状に設けられている。
【００３２】
帯状物Ａは処理室１の一端の上部にガイドローラー２５で配設し、他端の上部には圧搾部２８との間にガイドローラー２５を配設し、圧搾部２８の駆動ローラー２１と押圧ローラー２２とによって、処理室１内の帯状物Ａを引っ張って圧搾して搬出する。
【００３３】
補給室２は、密閉状のケース９から形成され、上部に処理室１との処理液の循環のための還流パイプ１９が配設され、補給室２の処理液をポンプ２９によって吸引することができ、また補給室２の上部の一部には図５に示すように、蓋体２７を枢着した補給口２６を設けて処理液を補給することができる。
【００３４】
補給室２の下方に回収室３を配設する。この回収室３は、補給室２また処理室１よりも平面的に大きなケース９から形成され、上面は開放され、処理室１または補給室２から処理液が漏出したとき、受皿としての役目を果たす処理液を回収することができるように形成されている。
【００３５】
次に処理装置における配管について説明する。配管は図２に示すように、上段棚６の処理室１に配設した還流パイプ１９の開口部２４と略同一面の側壁に設けた供給口１６にパイプ２０を連通し、このパイプ２０にバルブ１を取り付け、このバルブ１からパイプ２０を延長して先端にバルブ２を取り付け、バルブ１とバルブ２との間のパイプ２０からポンプ２９にパイプ２０を介して連通する。
【００３６】
処理室１の底部に設けた排出口１７にパイプ２０を連通し、中間にバルブ３を取り付けて中段棚７に固定した補給室２の底部にパイプ２０を介して連通する。この底部の排出口の近傍のパイプ２０を分岐して延長し、パイプ２０の先端にバルブ４を取り付け、バルブ４の手前のパイプ２０を分岐してポンプ２９へパイプ２０により連通する。また下段棚８に固定した回収室３は底部に排出口を設けてパイプ２０を連通し、このパイプ２０の先端にバルブ５を取り付ける。
【００３７】
この処理装置は、補給室２に補給された処理液は、ポンプ２９の作動により処理室１へ送給され、処理液は還流パイプ１９を通って補給室２へと循環する。処理中はバルブ２、バルブ３、バルブ４、バルブ５は全て閉止し、バルブ１のみを開口させることにより処理液は処理室１と補給室２間を自由に循環させることができる。
【００３８】
処理液を交換するときは、バルブ１を閉止し、バルブ２〜バルブ４を開口し、バルブ２によってポンプ２９の中の処理液を排出し、かつバルブ３とバルブ４により処理室１と補給室２における処理液を排出する。またバルブ５は処理室１と補給室２とに処理液の液漏れが発生し、その処理液が回収室３に溜まったとき、開口して排出する。
【００３９】
処理装置における帯状物の走行経路は、図１に示すように帯状物Ａを処理室１における帯状物Ａを搬入口１０側のガイドローラー２５を経て搬入側の巻掛けローラー１２のフランジ１５間に搬送して巻掛けローラー１２に巻掛け、次に搬出側の巻掛けローラー１２のフランジ１５間に搬送して巻掛けローラー１２に巻掛けて反転させ、先の巻掛けローラー１２に搬送し反転させる操作を数次にわたって反復して行い、搬出口１１側のガイドローラー２５を経て、圧搾部２８の駆動ローラー２１と押圧ローラー２２間に搬送して搬出する。その間処理室１に収容した防水剤を用いた処理液中を走行することによって防水加工が施される。
【００４０】
処理室１内に配設される一対の巻掛けローラー１２の変形例について説明すると、巻掛けローラー１２の表面にフランジ１５による突出部１８の代わりにスパイラル突片を配設して連続する突出部１８を形成して帯状物Ａを反復走行させることもできる。
【００４１】
図６に示す処理装置は、帯状物を乾燥することができる乾燥装置に活用した応用例を示すものであり、処理室１は箱型のケース９と開閉できる蓋板３５から形成し、ケース９は巻掛けローラー１２の一端が対向する側壁に帯状物Ａを挿通できる搬入口１０を設け、また他の巻掛けローラー１２の他端が対向する搬入口１０とは反対側の側壁に搬出口１１を設け、この搬出口１１から帯状物Ａを搬送する。
【００４２】
ケース９内には、帯状物Ａを反復して巻掛けることができる一対の巻掛けローラー１２を間隔をおいて略水平状に配設し、ケース９の下部には吹出ノズル３４を数個設けた加熱ダクト３３を複数個列設し、蓋板３５には排気口３６を設けて、排気ファン３７を直接または間接に連通して処理室１の換気を行う。
【００４３】
帯状物Ａはケース９の蓋板３５を開放して搬入口１０から挿通し、一対の巻掛けローラー１２に反復して帯状物Ａを巻掛けて、最後は反対側の搬出口１１から搬送する。この間一対の巻掛けローラー１２に張架された数条の帯状物Ａは下方の加熱ダクト３３の吹出ノズル３４から吹出される熱気により乾燥され、順次搬送される。
【００４４】
【発明の効果】
この発明の帯状物の処理装置は、以上説明したとおりの構成であり、この構成によって下記の効果を奏するものである。
【００４５】
この発明のうち請求項１記載の発明は、処理室に帯状物の搬入口および搬出口を設け、処理室内の略同一水平面上に帯状物を反転させる一対の巻掛けローラーを間隔をおいて配設し、帯状物Ａを巻掛けローラー間に反復走行させたことによって、処理室の深さを浅くすることができ、処理室内の帯状物の配置保全また保守作業に関する手作業が簡易かつ効率よく行うことができ、また処理装置の小型化および小ロット生産を行うことができる効果がある。
【００４６】
請求項２、３および４記載の発明は、それぞれ請求項１記載の発明の効果に加え、巻掛けローラーの表面に巻掛けローラーの軸線方向に所定ピッチでフランジを突設して隣接する帯状物を隔離する突出部を形成し、またはスパイラル突片を突設して隣接する帯状物を隔離する複数の突出部を形成したことによって、処理室内において簡単な機構により帯状物同士の重なり合いを避け、確実に隔離して効率よく搬送ができ、また突出部がスパイラル突片の場合は、特に細物の帯状物の搬送に適する効果がある。
【００４７】
請求項５記載の発明は、請求項１記載の発明の効果に加え、巻掛けローラー間に帯状物の走行方向をガイドするガイド部材を配設したことによって、帯状物の巻掛けローラーへ向けての走行方向を一定に維持し、帯状物を高速走行させた時や、帯状物に過剰な張力が加わった時でも巻掛けローラーにおける帯状物の巻掛け位置を一定に維持して、帯状物を円滑に走行させることができる効果がある。
【００４８】
請求項６記載の発明は、請求項１記載の発明の効果に加え、処理室に連設した圧搾機構は、駆動ローラーに押圧ローラーを圧接状に配設して圧搾部を形成し、圧搾部の下側に液戻し部材を処理室に連通したことによって、帯状物の液体処理加工に適し、処理後に帯状物から処理液を確実に除去することができ、かつ除去した処理液を確実に処理室へ返戻することができる効果がある。
【００４９】
請求項７記載の発明は、請求項１記載の発明の効果に加え、処理室内に配設した一対の巻掛けローラーの一方を処理室外に設置した駆動機構に連結したことによって、処理室内の巻掛けローラーを確実に駆動させ、的確に帯状物を搬送させることができる効果がある。
【００５０】
請求項８記載の発明は、請求項１記載の発明の効果に加え、処理室の下方に補給室を設け、処理室と補給室とは処理液を還流させる還流パイプを配設し、補給室の下側に、上方からの処理液の液漏れを回収する回収室を配設したことによって、処理室と補給室とを縦に重合し、両室間に還流パイプを設けたことにより、処理液が循環し新しい処理液を補給しても均一な濃度となり帯状物に処理ムラが生ずることがない。また処理液を無駄にすることがなく確実に回収できる効果がある。
【００５１】
請求項９記載の発明は、請求項８記載の発明の効果に加え、補給室は処理液の補給口を形成したことによって、補給室は処理液を補給し、処理室へ処理液を還流させることができる効果がある。
【００５２】
請求項１０記載の発明は、請求項８記載の発明の効果に加え、上段棚の処理室、中段棚の補給室、下段棚の回収室を一連のフレームに固定し、フレームの下側にキャスターを装着したことによって、処理室、補給室、回収室を縦方向に重合してフレームに固定することにより、配置スペースを最小限におさえることができ、装置の小型化ができ、かつ処理装置を自由に移動させることができる効果があるなど、この発明が奏する効果はきわめて顕著である。
【図面の簡単な説明】
【図１】帯状物の液体処理加工装置の概略図である。
【図２】同上装置の配管図である。
【図３】同上装置の処理室の斜視図である。
【図４】同上装置の処理室における帯状物の巻掛け状態を示す断面図である。
【図５】同上装置の補給室の断面図である。
【図６】乾燥装置における処理室の断面図である。
【図７】従来公知の帯状物の乾燥装置の内部側面図である。
【符号の説明】
１            処理室
２            補給室
３            回収室
５            フレーム
６            上段棚
７            中段棚
８            下段棚
１０            搬入口
１１            搬出口
１２            巻掛けローラー
１５            フランジ
１８            突出部
１９            還流パイプ
２０            パイプ
２１            駆動ローラー
２２            押圧ローラー
２３            液戻し部
２４            開口部
２８            圧搾部
２９            ポンプ
３１            キャスター
３３            加熱ダクト
３７            排気ファン
３８            ガイド部材
Ａ              帯状物
【図１】
2004197285.tif 000003
【図２】
2004197285.tif 000004
【図３】
2004197285.tif 000005
【図４】
2004197285.tif 000006
【図５】
2004197285.tif 000007
【図６】
2004197285.tif 000008
【図７】
2004197285.tif 000009